(57)【要約】【課題】内容物を吐出する前の待機状態で、ノズル筒が邪魔にならず、吐出容器の見映えの悪化を防ぐことができるだけでなく、優れた操作性を具備させる。【解決手段】外容器１７に、容器本体１１を揺動自在に支持する支持部材２６と、容器本体１１が突出姿勢のときに、支持部材２６を復元変位させる付勢部材２７と、が備えられ、操作ヘッド１６に、操作ヘッド１６の吐出ヘッド１４に対する下降移動に伴い、容器本体１１を突出姿勢にする第１操作突片３０が備えられ、外容器１７に、係合突部２５に摺接して容器本体１１を上昇させるリフト機構２９と、リフト機構２９により容器本体１１が上昇するときに、吐出ヘッド１４の上昇移動を規制する規制部２０ａと、が配設され、操作ヘッド１６に、操作ヘッド１６の吐出ヘッド１４に対する下降移動に伴い、リフト機構２９を、容器本体１１を上昇させるように作動させる第２操作突片３１が備えられている。【選択図】図１
2015143122.tif 000002
【特許請求の範囲】
【請求項１】
内容物が収容される容器本体と、
径方向の外側に向けて突出し前端に吐出孔が形成されたノズル筒を有する吐出ヘッドを備える吐出器と、
前記吐出ヘッドの上方に前記吐出ヘッドに対して下降移動自在に配設された操作ヘッドを備えるとともに、前記容器本体および前記吐出器を収容する外容器と、を備え、
前記外容器には、前記ノズル筒が出没可能な通過孔が形成され、
前記外容器には、前記ノズル筒が前記通過孔を通過するように前記容器本体を揺動自在に支持する支持部材と、前記容器本体が、前記ノズル筒が前記通過孔から突出する突出姿勢のときに、前記支持部材を復元変位させる付勢部材と、が備えられ、
前記操作ヘッドには、下方に向けて突設され、前記操作ヘッドの前記吐出ヘッドに対する下降移動に伴い、前記容器本体に突設された係合突部に摺接して、前記容器本体を前記突出姿勢にする第１操作突片が備えられ、
前記外容器には、前記係合突部に摺接して前記容器本体を上昇させるリフト機構と、前記リフト機構により前記容器本体が上昇するときに、前記吐出ヘッドの上昇移動を規制する規制部と、が配設され、
前記操作ヘッドには、下方に向けて突設され、前記操作ヘッドの前記吐出ヘッドに対する下降移動に伴い、前記リフト機構に摺接して、前記リフト機構を、前記容器本体を上昇させるように作動させる第２操作突片が備えられていることを特徴とする吐出容器。
【請求項２】
前記第１操作突片は、前記規制部により前記吐出ヘッドの上昇移動が規制された状態で、前記操作ヘッドが下降移動するときに、前記係合突部に摺接することで、前記支持部材が復元変位するように前記容器本体が揺動することを規制することを特徴とする請求項１記載の吐出容器。
【発明の詳細な説明】
【技術分野】
【０００１】
本発明は、吐出容器に関する。
【背景技術】
【０００２】
従来、例えば下記特許文献１に示されるような、前方に向けて延びるノズル筒を有し、かつ前後動自在に配設された吐出ヘッドと、吐出ヘッドを囲い、かつ吐出ヘッドの前後動に伴い、ノズル筒が出没する通過孔が形成されたカバー体と、を備える吐出容器が知られている。
この吐出容器においては、内容物を吐出する前の待機状態で、ノズル筒をカバー体の内側に収容しておくので、ノズル筒が邪魔にならないばかりでなく、吐出容器の見映えの悪化を防ぐこともできる。
【先行技術文献】
【特許文献】
【０００３】
【特許文献１】実用新案登録第２５３９１８１号公報
【発明の概要】
【発明が解決しようとする課題】
【０００４】
しかしながら、前記従来の吐出容器では、内容物の吐出に際し、吐出ヘッドをカバー体に対して前進移動させる操作、及び吐出ヘッドを押下する操作の双方を行う必要があり、また、内容物の吐出後も、吐出ヘッドをカバー体に対して後退移動させる操作が必要になるため、操作性を向上させることに改善の余地があった。
【０００５】
本発明は、前述した事情に鑑みてなされたものであって、内容物を吐出する前の待機状態で、ノズル筒が邪魔にならず、吐出容器の見映えの悪化を防ぐことができるだけでなく、優れた操作性を具備させることもできる吐出容器を提供することを目的とする。
【課題を解決するための手段】
【０００６】
前記課題を解決するために、本発明は以下の手段を提案している。
本発明に係る吐出容器は、内容物が収容される容器本体と、径方向の外側に向けて突出し前端に吐出孔が形成されたノズル筒を有する吐出ヘッドを備える吐出器と、前記吐出ヘッドの上方に前記吐出ヘッドに対して下降移動自在に配設された操作ヘッドを備えるとともに、前記容器本体および前記吐出器を収容する外容器と、を備え、前記外容器には、前記ノズル筒が出没可能な通過孔が形成され、前記外容器には、前記ノズル筒が前記通過孔を通過するように前記容器本体を揺動自在に支持する支持部材と、前記容器本体が、前記ノズル筒が前記通過孔から突出する突出姿勢のときに、前記支持部材を復元変位させる付勢部材と、が備えられ、前記操作ヘッドには、下方に向けて突設され、前記操作ヘッドの前記吐出ヘッドに対する下降移動に伴い、前記容器本体に突設された係合突部に摺接して、前記容器本体を前記突出姿勢にする第１操作突片が備えられ、前記外容器には、前記係合突部に摺接して前記容器本体を上昇させるリフト機構と、前記リフト機構により前記容器本体が上昇するときに、前記吐出ヘッドの上昇移動を規制する規制部と、が配設され、
前記操作ヘッドには、下方に向けて突設され、前記操作ヘッドの前記吐出ヘッドに対する下降移動に伴い、前記リフト機構に摺接して、前記リフト機構を、前記容器本体を上昇させるように作動させる第２操作突片が備えられていることを特徴とする。
【０００７】
この場合、内容物を吐出するときには、外容器の操作ヘッドを押下して吐出ヘッドに対して下降移動させると、操作ヘッドの第１操作突片が、支持部材の係合突部に摺接することで、支持部材が容器本体を揺動させ、吐出器のノズル筒が通過孔から突出する。このような突出姿勢の容器本体において、操作ヘッドを更に下降移動させ、操作ヘッドの第２操作突片がリフト機構に摺接してリフト機構が容器本体を上昇させるときに、規制部が、吐出ヘッドの上昇移動を規制すると、吐出ヘッドが容器本体に対して相対的に押下される。その結果、吐出器が作動して容器本体内の内容物が吐出孔から吐出される。
内容物を吐出した後、操作ヘッドの押下を解除すると、付勢部材により支持部材が復元変位させられ、通過孔から突出していたノズル筒が外容器内に収容される。
この吐出容器によれば、単に外容器の操作ヘッドを押下することで、ノズル筒を通過孔から突出させて内容物を吐出させることができ、かつ、操作ヘッドの押下を解除することで、通過孔から突出していたノズル筒を外容器内に収容することができる。これにより、内容物を吐出する前の待機状態で、ノズル筒が邪魔にならず、吐出容器の見映えの悪化を防ぐことができるだけでなく、優れた操作性を具備させることができる。
また、容器本体を揺動させるときには、第１操作突片を係合突部に摺接させ、容器本体を上昇させるときには、第２操作突片を係合突部に摺接させることができる。したがって、第１操作突片および第２操作突片を共通の係合突部に摺接させた場合には、構造の簡素化を図ることができる。
【０００８】
また、前記第１操作突片は、前記規制部により前記吐出ヘッドの上昇移動が規制された状態で、前記操作ヘッドが下降移動するときに、前記支持部材が復元変位するように前記容器本体が揺動することを規制してもよい。
【０００９】
この場合、規制部により吐出ヘッドの上昇移動が規制された状態で、操作ヘッドが下降移動するときに、第１操作突片が係合突部に摺接することで、支持部材が復元変位するように容器本体が揺動することを規制するので、操作ヘッドを押下するときに、操作性を確保しつつ容器本体を安定に突出姿勢に保持することができる。
【発明の効果】
【００１０】
本発明によれば、内容物を吐出する前の待機状態で、ノズル筒が邪魔にならず、吐出容器の見映えの悪化を防ぐことができるだけでなく、優れた操作性を具備させることもできる。
【図面の簡単な説明】
【００１１】
【図１】本発明の一実施形態に係る吐出容器を示す縦断面図であって、容器本体および吐出器を側面図で示したものである。
【図２】図１に示すＡ−Ａ断面矢視図に相当する横断面図であって、吐出器および付勢部材を２点鎖線で示したものである。
【図３】図１に示す吐出容器を構成するリフト機構の斜視図である。
【図４】図１に示す吐出容器において操作ヘッドを押下した状態を示す縦断面図である。
【図５】図４に示す吐出容器において操作ヘッドを更に押下した状態を示す縦断面図である。
【発明を実施するための形態】
【００１２】
以下、図１から図５を参照し、本発明の一実施形態に係る吐出容器を説明する。
図１から図３に示すように、吐出容器１０は、内容物が収容される容器本体１１と、径方向の外側に向けて突出し前端に吐出孔１３ａが形成されたノズル筒１３を有する吐出ヘッド１４を備える吐出器１５と、吐出ヘッド１４の上方に吐出ヘッド１４に対して下降移動自在に配設された操作ヘッド１６を備える外容器１７と、を備えている。
【００１３】
外容器１７は、容器本体１１および吐出器１５を収容している。外容器１７は、内部に前記操作ヘッド１６が上下摺動自在に嵌合された有頂筒状の本体筒部１８と、本体筒部１８の開口端部を閉塞する有底筒状の底筒部１９と、を備えている。
ここで操作ヘッド１６は、有頂筒状に形成されていて、外容器１７を構成する操作ヘッド１６、本体筒部１８および底筒部１９の各中心軸は、共通軸上に位置している。以下、この共通軸を外容器軸Ｏ１といい、外容器軸Ｏ１に沿う操作ヘッド１６側を上側、底筒部１９側を下側という。さらに、この吐出容器１０を、外容器軸Ｏ１方向から見た平面視において、外容器軸Ｏ１に直交する方向を径方向といい、外容器軸Ｏ１回りに周回する方向を周方向という。
【００１４】
本体筒部１８には、本体孔２０と、切欠き部２１と、が形成されている。
本体孔２０は、本体筒部１８の周壁部の上部に形成されていて、ノズル筒１３が出没可能とされている。本体孔２０は、外容器軸Ｏ１方向に長い長穴状に形成されていて、前記平面視において、本体孔２０の中心軸は、外容器軸Ｏ１に直交する。以下では、前記平面視において、本体孔２０の中心軸に沿う方向を前後方向といい、前後方向に沿って外容器軸Ｏ１に対する本体孔２０側を前側といい、その反対側を後側という。さらに、前記平面視において、本体孔２０の中心軸に直交する方向を左右方向という。
切欠き部２１は、本体筒部１８の頂壁部の中央部から後側に向けて、本体筒部１８の周壁部の上部にわたるまで延びている。切欠き部２１は、操作ヘッド１６の頂壁部を外容器１７の外部に露出させている。
【００１５】
操作ヘッド１６は、有頂筒状に形成され、下側に向けて開口していて本体筒部１８内に嵌合されている。操作ヘッド１６の頂壁部１６ａの一部は、本体筒部１８の頂壁部に下側から係合可能となっている。操作ヘッド１６には、本体孔２０に連通可能な貫通孔２２が形成されている。貫通孔２２は、操作ヘッド１６の周壁部の前部に形成されていて、本体孔２０と周方向に同等の位置に形成されている。貫通孔２２は、外容器軸Ｏ１方向に延びるとともに下側に向けて開口する長穴状に形成されている。
ここで、前記本体孔２０および前記貫通孔２２は、外容器１７に形成されるとともにノズル筒１３が出没可能な通過孔３５を構成する。
【００１６】
底筒部１９は、本体筒部１８の開口端部である下端部内に嵌合されている。底筒部１９には、前後方向に間隔をあけて配置された一対の軸受ガイド部２３ａが立設されている。一対の軸受ガイド部２３ａ内には、上方に向けて開口する孔部が形成された軸受部２３が、前後方向の移動を規制された状態で、外容器軸Ｏ１方向に移動自在に配置されている。
【００１７】
底筒部１９は、矩形筒状に形成されていて、底筒部１９の周壁部は、前後方向に延びる一対の側壁部１９ａと、一対の側壁部１９ａの後端部同士を連結する後壁部１９ｂと、一対の側壁部１９ａの前端部同士を連結する前壁部１９ｃと、を備えている。一対の側壁部１９ａおよび後壁部１９ｂは、外容器軸Ｏ１方向に同等の大きさとされている。前壁部１９ｃは、一対の側壁部１９ａおよび後壁部１９ｂよりも外容器軸Ｏ１方向に小さくなっていて、一対の側壁部１９ａの下端部同士を連結している。
【００１８】
容器本体１１は、内容物が収容され、かつ口部を有する本体部３６と、前記口部に装着された装着キャップ１２と、を備えている。本体部３６は、有底筒状に形成されていて、吐出器１５は、吐出ヘッド１４の容器本体１１に対する相対的な押下（下降移動）により、吐出孔１３ａから内容物を吐出する。なお吐出器１５は、前記装着キャップ１２により本体部３６に取り付けられている。
容器本体１１および吐出器１５は、外容器１７内に収容される内容器２４を構成する。本実施形態では、内容器２４は、外容器１７のうち、前記本体筒部１８および前記底筒部１９により構成される収容体３７内に収容されている。収容体３７には、操作ヘッド１６が押下可能に装着されている。
【００１９】
ここで内容器２４では、本体部３６および装着キャップ１２の各中心軸は、共通軸上に位置している。以下、この共通軸を内容器軸Ｏ２という。内容器軸Ｏ２は、外容器軸Ｏ１に交差していて、内容器軸Ｏ２と外容器軸Ｏ１とは、容器本体１１上で交差している。内容器軸Ｏ２は、外容器軸Ｏ１と交差する部分よりも上側に向かうに従い漸次、後側に向かうように、外容器軸Ｏ１に対して傾斜している。内容器２４は、外容器軸Ｏ１に対して後側に向けて傾いている。内容器２４の後部の外周面は、操作ヘッド１６の後部の内周面
よりも前側に位置していて、内容器２４の後側において、内容器２４と操作ヘッド１６とは離間している。
【００２０】
装着キャップ１２は、本体部３６の口部に外装されている。装着キャップ１２内には、上方付勢状態で下方移動可能に設けられた図示しないステムが挿通されている。
装着キャップ１２には、係合突部２５が設けられている。係合突部２５は、装着キャップ１２を間に挟むように一対設けられていて、各係合突部２５は、装着キャップ１２から左右方向の両側に向けて各別に突出している。係合突部２５は、外容器１７の底筒部１９の上端縁よりも上側に配置されている。係合突部２５は、この吐出容器１０を左右方向から見た側面視において、真円形状に形成され、内容器軸Ｏ２よりも後側に配置されている。
【００２１】
吐出ヘッド１４は、有頂筒状に形成され、前記ステムの上端部に装着されていて、前記ステムにより、容器本体１１に対して上方付勢状態で下方移動可能に保持されている。吐出ヘッド１４は、内容器軸Ｏ２と同軸に配置され、装着キャップ１２から上側に向けて突出している。
ノズル筒１３は、吐出ヘッド１４の外周面から前側に向けて突出している。ノズル筒１３の中心軸は、内容器軸Ｏ２に交差し、図示の例では直交している。ノズル筒１３は、外容器１７の内部に収容されていて、ノズル筒１３の前端は、操作ヘッド１６の貫通孔２２内に位置している。
【００２２】
外容器１７には、支持部材２６と、付勢部材２７と、リフト機構２９と、が備えられている。
支持部材２６は、ノズル筒１３が通過孔３５を通過するように容器本体１１を揺動自在に支持する。支持部材２６は、前側に向けて開口する有底筒状に形成され、容器本体１１の底部に外側から嵌合している。支持部材２６の底壁部には、左右方向に延びる揺動軸部２８が一体に形成されている。揺動軸部２８は、支持部材２６の底壁部から下側に延びる左右一対の板部材の間に架設されていて、外容器１７の前記軸受部２３内に嵌合されている。支持部材２６は、揺動軸部２８を中心に前後方向に揺動可能とされている。
【００２３】
付勢部材２７は、容器本体１１が、図４に示すようなノズル筒１３が通過孔３５から突出する突出姿勢のときに、支持部材２６を復元変位させる。図１から図３に示すように、付勢部材２７は、支持部材２６の底壁部と底筒部１９の底壁部との間に配置されている。付勢部材２７は、支持部材２６および底筒部１９とは別個に形成されていて、前後方向に交互に湾曲されながら左右方向に延びる線ばねにより構成されている。
【００２４】
付勢部材２７は、前記平面視においてＭ字状をなしていて、付勢部材２７の左右方向の両端部は、後側に向けて延び、付勢部材２７の左右方向の中央部は、後側に向けて凸となるように湾曲している。付勢部材２７は、左右方向の両端部から左右方向の中央部に向かうに従い漸次、上側に向けて延びていて、付勢部材２７の左右方向の両端部は、底筒部１９に連結され、付勢部材２７の左右方向の中央部は、支持部材２６に連結されている。なお付勢部材２７は、この吐出容器１０が、図１に示すような待機状態であるときに、支持部材２６を付勢するように構成しても良いし、外力が加えられていない自然長状態となるように構成してもよい。本実施形態においては、吐出容器１０の待機状態において、付勢部材２７が、支持部材２６を付勢するように構成した場合について説明する。
【００２５】
リフト機構２９は、係合突部２５に摺接して容器本体１１を上昇させる。リフト機構２９は、外容器１７の底筒部１９の上端縁に、前後方向にスライド移動可能に配置されている。リフト機構２９は、底筒部１９の側壁部１９ａの前端部上に配置されていて、一対の側壁部１９ａに各別に配置され一対設けられている。
【００２６】
リフト機構２９は、表裏面が左右方向を向く板状に形成され、前記側面視において三角形状をなしている。リフト機構２９は、前後方向の両側から中央部に向かうに従い漸次、上側に向けて突出している。リフト機構２９には、上側および後側を向き、後側から前側に向かうに従い漸次、上側に向かう第１傾斜縁２９ａと、上側および前側を向き、前側から後側に向かうに従い漸次、上側に向かう第２傾斜縁２９ｂと、が備えられている。
リフト機構２９には、このリフト機構２９のスライド移動を案内するスライドガイド部２９ｃが設けられている。スライドガイド部２９ｃは、リフト機構２９から下方に向けて逆Ｕ字状に突出し、底筒部１９の側壁部１９ａの上端縁を左右方向に挟み込んでいる。
【００２７】
ここで外容器１７には、第１操作突片３０と、第２操作突片３１と、が備えられている。
第１操作突片３０は、操作ヘッド１６の吐出ヘッド１４に対する下降移動に伴い、前記係合突部２５に摺接して容器本体１１を突出姿勢にする。第１操作突片３０は、操作ヘッド１６の頂壁部１６ａから下方に向けて突設されている。第１操作突片３０は、吐出ヘッド１４を左右方向の両外側から挟むように配置されている。第１操作突片３０は、吐出ヘッド１４の左右両側に各別に独立して一対設けられている。
【００２８】
第１操作突片３０の下端縁は、前記側面視において後側から前側に向かうに従い漸次、上側に向けて延びる直線状に形成され、前記側面視において外容器軸Ｏ１に対して傾斜している。第１操作突片３０の前端縁は、前記側面視において外容器軸Ｏ１に沿って延びる直線状に形成されている。第１操作突片３０の下端縁には、係合突部２５が摺動可能に当接していて、操作ヘッド１６は、第１操作突片３０、係合突部２５、容器本体１１および支持部材２６を介して底筒部１９に支持されている。
【００２９】
第２操作突片３１は、操作ヘッド１６の吐出ヘッド１４に対する下降移動に伴い、リフト機構２９に摺接して、リフト機構２９を、容器本体１１を上昇させるように作動させる。第２操作突片３１は、操作ヘッド１６の頂壁部１６ａから下方に向けて突設されている。第２操作突片３１は、ノズル筒１３を左右方向の両外側から挟むように配置されている。第２操作突片３１は、ノズル筒１３の左右両側に各別に独立して一対設けられている。第２操作突片３１は、リフト機構２９の第２傾斜縁２９ｂの上端部と外容器軸Ｏ１方向に対向している。
【００３０】
次に、前記吐出容器１０の作用について説明する。
内容物を吐出するときには、外容器１７の操作ヘッド１６を押下して吐出ヘッド１４に対して下降移動させると、操作ヘッド１６の第１操作突片３０が、装着キャップ１２の係合突部２５に摺接する。このとき本実施形態では、第１操作突片３０が下降移動しながら、第１操作突片３０の下端縁が、係合突部２５に摺接し、第１操作突片３０の下降移動に伴って係合突部２５が前側に移動させられる。これにより、支持部材２６が、付勢部材２７の付勢力に抗しながら、容器本体１１を揺動軸部２８回りの前側に揺動させ、図４に示すように、吐出器１５のノズル筒１３が通過孔３５から前側に突出する。このとき、内容器軸Ｏ２は、外容器軸Ｏ１よりも前側に位置した状態で、外容器軸Ｏ１に沿って延びている。
【００３１】
このような突出姿勢の容器本体１１において、係合突部２５は、リフト機構２９の第１傾斜縁２９ａに係合し、第２操作突片３１は、リフト機構２９の第２傾斜縁２９ｂに近接する。図５に示すように、操作ヘッド１６が更に下降移動すると、第２操作突片３１がリフト機構２９に摺接し、容器本体１１、支持部材２６および軸受部２３を上昇させる。このとき、第２操作突片３１が、リフト機構２９の第２傾斜縁２９ｂに摺接することで、リフト機構２９が、スライドガイド部２９ｃにガイドされながら後側にスライド移動する。すると、係合突部２５が、リフト機構２９の第１傾斜縁２９ａと第１操作突片３０の前端縁との間で、これらの第１傾斜縁２９ａおよび前端縁に摺接しながら上昇移動し、容器本体１１が上昇する。なおこのとき、第１操作突片３０の前端縁が、係合突部２５に摺接することで、付勢部材２７による支持部材２６の揺動軸部２８回りの復元変位が規制され、支持部材２６が復元変位するように容器本体１１が揺動することが規制されている。
【００３２】
ここで本実施形態では、前述のようにリフト機構２９により容器本体１１が上昇するときに、図５に示すようにノズル筒１３の上面が、本体筒部１８における本体孔２０の開口周縁部（規制部）２０ａに係合し、吐出ヘッド１４の上昇移動が規制される。その結果、操作ヘッド１６の更なる下降移動に伴って容器本体１１が上昇することで、吐出ヘッド１４が容器本体に対して相対的に押下され、吐出ヘッド１４の外容器軸Ｏ１方向の位置が保持された状態で、吐出器１５が作動して容器本体１１内の内容物が吐出孔１３ａから吐出される。
【００３３】
内容物を吐出した後、操作ヘッド１６の押下を解除すると、前記ステムの上方付勢力により、吐出ヘッド１４が、容器本体１１に対して相対的に上昇移動させられる。このとき本実施形態では、ノズル筒１３が、前述のように本体筒部１８における本体孔２０の開口周縁部２０ａに係合し、吐出ヘッド１４の外容器軸Ｏ１方向の上昇移動が規制されていることで、容器本体１１が下降移動する。その結果、係合突部２５が、リフト機構２９の第１傾斜縁２９ａと第１操作突片３０の前端縁との間で、これらの第１傾斜縁２９ａおよび前端縁に摺接しながら下降移動し、リフト機構２９が前進する。これにより、リフト機構２９の第２傾斜縁２９ｂが、第２操作突片３１に摺接し、操作ヘッド１６が、リフト機構２９および第２操作突片３１を介して上昇移動させられる。
【００３４】
図４に示すように、係合突部２５が、第１操作突片３０の下端縁に到達するまで、操作ヘッド１６が上昇移動すると、付勢部材２７の復元力により、係合突部２５が第１操作突片３０の下端縁に摺接して支持部材２６が後側に向けて揺動することで、支持部材２６が復元変位し、通過孔３５から突出していたノズル筒１３が外容器１７内に収容されるとともに操作ヘッド１６が吐出ヘッド１４に対して更に上昇移動させられ、この吐出容器１０が再び図１に示すような待機状態に戻る。
【００３５】
以上説明したように、本実施形態に係る吐出容器１０によれば、単に外容器１７の操作ヘッド１６を押下することで、ノズル筒１３を通過孔３５から突出させて内容物を吐出させることができ、かつ、操作ヘッド１６の押下を解除することで、通過孔３５から突出していたノズル筒１３を外容器１７内に収容することができる。これにより、内容物を吐出する前の待機状態で、ノズル筒１３が邪魔にならず、吐出容器１０の見映えの悪化を防ぐことができるだけでなく、優れた操作性を具備させることができる。
【００３６】
また、容器本体１１を揺動させるときには、第１操作突片３０を係合突部２５に摺接させ、容器本体１１を上昇させるときには、第２操作突片３１を係合突部２５に摺接させることができる。ここで本実施形態では、容器本体１１の揺動時および上昇時のいずれの場合においても、共通の係合突部２５を用いるので、例えば、容器本体１１の揺動時と上昇時とで異なる係合突部を用いる構成などに比べて、構造の簡素化を図ることができる。
【００３７】
また、吐出ヘッド１４の外容器軸Ｏ１方向の位置が保持された状態で、容器本体１１内の内容物が吐出孔１３ａから吐出されるので、ノズル筒１３および吐出孔１３ａの位置を安定させて吐出孔１３ａから内容物を吐出することが可能になり、内容物を意図した吐出位置に精度良く吐出することができる。
【００３８】
また、本体筒部１８における本体孔２０の開口周縁部２０ａにノズル筒１３が係合して吐出ヘッド１４の上昇移動が規制された状態で、操作ヘッド１６が下降移動するときに、第１操作突片３０が係合突部２５に摺接することで、支持部材２６が復元変位するように容器本体１１が揺動することを規制するので、操作ヘッド１６を押下するときに、操作性を確保しつつ容器本体１１を安定に突出姿勢に保持することができる。
【００３９】
なお、本発明の技術的範囲は前記実施形態に限定されるものではなく、本発明の趣旨を逸脱しない範囲において種々の変更を加えることが可能である。
【００４０】
前記実施形態では、吐出容器１０の待機状態において、付勢部材２７が、支持部材２６を付勢するように構成したが、本発明はこれに限られない。
例えば、図１に示すような吐出容器の待機状態において、付勢部材が、前述の自然長状態となるように構成してもよい。この場合、操作ヘッドを下降移動させ、容器本体を図４に示すような突出姿勢にするときに、付勢部材を弾性的に圧縮変形させることができる。これにより、突出姿勢の容器本体において、付勢部材から支持部材に揺動軸部回りに復元変位するような付勢力を作用させることができる。またこの場合、突出姿勢の吐出容器において、リフト機構が容器本体を上昇させて内容物を吐出するときに、付勢部材を、弾性的に伸長変形させることができる。これにより、内容物を吐出して操作ヘッドの押下を解除したときに、付勢部材の弾性復元力により、容器本体を下降させることができる。
以上のように、吐出容器の待機状態において、付勢部材が、支持部材を付勢するように構成してもよく、自然長状態となるように構成してもよい。ここで、吐出容器の待機状態において支持部材を付勢するか否かや、支持部材を付勢する場合における付勢力の程度などは、例えば、容器構造や操作性等を考慮して、ステムの付勢力と関連して適宜設定することができる。
【００４１】
また前記実施形態では、係合突部２５が装着キャップ１２に設けられているが、例えば容器本体の本体部に設けられていてもよい。
さらに前記実施形態では、容器本体１１の揺動時および上昇時のいずれの場合においても、共通の係合突部２５を用いるが、本発明はこれに限られない。例えば、係合突部として、第１係合突部および第２係合突部を別個に独立して備えさせ、容器本体の揺動時に第１操作突片に第１係合突部を摺接させ、容器本体の上昇時にリフト機構に第２係合突部を摺接させてもよい。
【００４２】
また前記実施形態では、操作ヘッド１６が、本体筒部１８内に嵌合されているが、例えば、操作ヘッドが、本体筒部に外側から嵌合していてもよい。
【００４３】
また前記実施形態では、本体孔２０は、外容器軸Ｏ１方向に長い長穴状に形成されているが、本発明はこれに限られない。例えば、本体孔が、この吐出容器を前側から見た正面視において、真円形状に形成されていてもよい。
さらに前記実施形態では、貫通孔２２は、外容器軸Ｏ１方向に延びるとともに下側に向けて開口する長穴状に形成されているが、本発明はこれに限られない。例えば、貫通孔が、下側に向けて開口していなくてもよく、この吐出容器を前側から見た正面視において、真円形状に形成されていてもよい。
さらにまた前記実施形態では、通過孔３５が、本体孔２０および貫通孔２２により構成されているが、本発明はこれに限られない。例えば、通過孔が本体孔のみによって構成されていてもよく、通過孔が貫通孔のみによって構成されていてもよい。
【００４４】
また前記実施形態では、ノズル筒１３の中心軸は、内容器軸Ｏ２に直交しているが、本発明はこれに限られず、ノズル筒の中心軸が、内容器軸に交差する他の構成に適宜変更することができる。
【００４５】
また前記実施形態では、支持部材２６が、前側に向けて開口する有底筒状に形成されているが、前側に向けて開口していなくてもよい。
【００４６】
また前記実施形態では、リフト機構２９は、一対の側壁部１９ａに各別に配置され一対設けられているが、本発明はこれに限られない。例えば、リフト機構が、前記平面視において、前側または後側に向けて開口するＵ字状に形成されていて、リフト機構の全体が一体に形成されていてもよい。
【００４７】
また、第１操作突片３０の強度を向上させるため、第１操作突片３０において左右方向の外側を向く表面や、第１操作突片３０の後端縁を、操作ヘッド１６の周壁部に連結してもよい。さらに、第２操作突片３１の強度を向上させるため、第２操作突片３１において左右方向の外側を向く表面や、第２操作突片３１の前端縁を、操作ヘッド１６の周壁部に連結してもよい。
【００４８】
また、前記実施形態では、リフト機構２９により容器本体１１が上昇移動するときに、本体筒部１８における本体孔２０の開口周縁部２０ａにノズル筒１３が係合することで、吐出ヘッド１４の上昇移動が規制されたが、本発明はこれに限られない。本発明は、リフト機構により容器本体が上昇するときに、吐出ヘッドの上昇移動を規制する規制部が外容器に配設された他の構成に適宜変更することが可能であり、例えば、規制部を、外容器の収容体に配設された他の構成に適宜変更してもよい。
【００４９】
また容器本体１１として、例えば、ブロー成形容器、中皿摺動式容器、または積層剥離容器等、種々の構成を採用することができる。
また吐出器１５として、いわゆるポンプ機構を有する構成に限らず、例えばエアゾール機構を有する構成等を採用しても良い。
【００５０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５１】
１０  吐出容器
１１  容器本体
１３  ノズル筒
１３ａ  吐出孔
１４  吐出ヘッド
１５  吐出器
１６  操作ヘッド
１７  外容器
２０ａ  開口周縁部（規制部）
２５  係合突部
２６  支持部材
２７  付勢部材
２９  リフト機構
３０  第１操作突片
３１  第２操作突片
３５  通過孔
【図１】
2015143122.tif 000003
【図２】
2015143122.tif 000004
【図３】
2015143122.tif 000005
【図４】
2015143122.tif 000006
【図５】
2015143122.tif 000007